(57)【要約】【課題】優れた握持保持性及び操作性を有するだけでなく、軸方向外方に指が滑り抜けない良好な指掛かり性も有する操作ノブ及び該操作ノブを備える魚釣用リールのハンドルを提供する。【解決手段】本発明の魚釣用リールのハンドルは、基部１２ａから先端部１２ｂへ向けて漸次的に外径が大きくなる操作ノブ１２を備える。操作ノブ１２は、指Ｆによる挟持が可能な挟持部１３と、挟持部１３を挟持する指Ｆに係止して操作ノブ１２の軸方向外方へ向かう指Ｆの移動を規制する移動規制部１４とを有するとともに、挟持部１３の表面１３ａと移動規制部１４の表面１４ａとが同一面上にない複合面４５を形成する。【選択図】  図３
2020000133.tif 000002
【特許請求の範囲】
【請求項１】
魚釣用リールのリール本体の駆動機構に連結されるハンドルアームと、該ハンドルアームの端部に固定された支軸に回転自在に装着されるとともにハンドルアーム側の基部から反ハンドルアーム側の先端部へ向けて漸次的に外径が大きくなる操作ノブとを備えて成る魚釣用リールのハンドルにおいて、
前記操作ノブは、指による挟持が可能な挟持部と、前記挟持部を挟持する指に係止して前記操作ノブの軸方向外方へ向かう指の移動を規制する移動規制部とを有するとともに、前記挟持部の表面と前記移動規制部の表面とが同一面上にない複合面を形成することを特徴とする魚釣用リールのハンドル。
【請求項２】
前記挟持部は、前記操作ノブの前記基部から前記先端部へ向けて漸次的に外径が大きくなるように延在し、前記移動規制部は、前記挟持部の表面に対して非連続的な表面を形成して前記挟持部の先端側から径方向外側に向けて立ち上がるように延在することを特徴とする請求項１に記載の魚釣用リールのハンドル。
【請求項３】
前記移動規制部は、前記挟持部とは別体に形成されて、前記挟持部に対して着脱自在に配置されることを特徴とする請求項１又は２に記載の魚釣用リールのハンドル。
【請求項４】
前記移動規制部の反ハンドルアーム側には、前記操作ノブの前記先端部へ向けて縮径するグリップ部が設けられることを特徴とする請求項１から３のいずれか一項に記載の魚釣用リールのハンドル。
【請求項５】
前記挟持部及び前記移動規制部の硬度が互いに異なることを特徴とする請求項１から４のいずれか一項に記載の魚釣用リールのハンドル。
【請求項６】
前記挟持部の外周面にはその軸方向に沿って延びる複数の軸方向溝が形成され、これらの軸方向溝は、前記挟持部の周方向に互いに所定の角度間隔を隔てて設けられることを特徴とする請求項１から５のいずれか一項に記載の魚釣用リールのハンドル。
【請求項７】
魚釣用リールのハンドルアームの端部に回転自在に装着され、ハンドルアーム側の基部から反ハンドルアーム側の先端部へ向けて漸次的に外径が大きくなる操作ノブであって、
指による挟持が可能な挟持部と、前記挟持部を挟持する指に係止して前記操作ノブの軸方向外方へ向かう指の移動を規制する移動規制部とを有するとともに、前記挟持部の表面と前記移動規制部の表面とが同一面上にない複合面を形成することを特徴とする操作ノブ。
【請求項８】
魚釣用リールのハンドルアームの端部に回転自在に装着され、ハンドルアーム側の基部から反ハンドルアーム側の先端部へ向けて漸次的に外径が大きくなる操作ノブであって、
前記操作ノブの外周面には前記基部から前記先端部へ向かって軸方向に延びる複数の軸方向溝が形成され、これらの軸方向溝は、前記操作ノブの周方向に互いに所定の角度間隔を隔てて設けられることを特徴とする操作ノブ。
【発明の詳細な説明】
【技術分野】
【０００１】
本発明は、魚釣用リールのリール本体の駆動機構に連結されて釣糸の巻き取り操作を行なうためのハンドルに関し、特に、該ハンドルの操作ノブの改良に関する。
【背景技術】
【０００２】
一般に、魚釣用リールの駆動機構に連結されるハンドルのアーム部（以下、ハンドルアームと称する）の端部には、ハンドルを回転操作するために指で握持されるハンドル摘み（以下、操作ノブと称する）が回転自在に支持されている。特に、前記操作ノブに関しては、その握持保持性や操作性を向上させるために、従来から様々な形態のものが提案されている。
【０００３】
例えば、特許文献１では、ハンドルアームから延びる支軸を回転可能に支持する軸受の外径よりもその外径が小さい小径領域を含む挟持部を操作ノブの膨大部と根元側端部との間に形成することにより、操作ノブに対する指のフィット性を改善して、握持性及び魚信感度の向上を図っている。
【先行技術文献】
【特許文献】
【０００４】
【特許文献１】特開２００６−０６１１２４号
【発明の概要】
【発明が解決しようとする課題】
【０００５】
しかしながら、特許文献１に開示される操作ノブの形態を成す場合でさえ、実釣時に魚が仕掛けに掛かった際に操作ノブに不規則な力が作用すると、特に、操作ノブを指で軽く握って操作している最中に急に魚が掛かって釣糸巻き取り操作へと移行する強負荷巻き取り時には、操作ノブを挟持する指が操作ノブから軸方向外方へ滑って抜けてしまうような事態が生じる可能性もある。
【０００６】
本発明は、上記した問題に着目してなされたものであり、優れた握持保持性及び操作性を有するだけでなく、軸方向外方に指が滑り抜けない良好な指掛かり性も有する操作ノブ及び該操作ノブを備える魚釣用リールのハンドルを提供することを目的とする。
【課題を解決するための手段】
【０００７】
上記した目的を達成するために、本発明は、魚釣用リールのリール本体の駆動機構に連結されるハンドルアームと、該ハンドルアームの端部に固定された支軸に回転自在に装着されるとともにハンドルアーム側の基部から反ハンドルアーム側の先端部へ向けて漸次的に外径が大きくなる操作ノブとを備えて成る魚釣用リールのハンドルにおいて、前記操作ノブは、指による挟持が可能な挟持部と、前記挟持部を挟持する指に係止して前記操作ノブの軸方向外方へ向かう指の移動を規制する移動規制部とを有するとともに、前記挟持部の表面と前記移動規制部の表面とが同一面上にない複合面を形成することを特徴とする。
【０００８】
上記構成の魚釣用リールのハンドルによれば、ハンドルアーム側の基部から反ハンドルアーム側の先端部へ向けて漸次的に外径が大きくなる操作ノブの形態により、指が操作ノブに対してフィットし易く、したがって、優れた握持保持性（フィット性のある摘み保持感）及び操作性が得られるとともに、挟持部を挟持する指に係止して操作ノブの軸方向外方へ向かう指の移動を規制する移動規制部の存在により、軸方向外方に指が滑り抜けない良好な指掛かり感も得られる。具体的には、挟持部を指（例えば、人差し指、中指、及び、親指の３本の指）で摘んで挟持した状態で、実釣時に魚が仕掛けに掛かった際に操作ノブに不規則な力が作用しても、特に、操作ノブを指で軽く握って操作している最中に急に魚が掛かって釣糸巻き取り操作へと移行しても（強負荷巻き取り時であっても）、挟持部に対して非連続的に位置する移動規制部の存在により、すなわち、挟持部の表面と協働して同一面上にない複合面を形成する移動規制部の表面の存在により、操作ノブを挟持する指が操作ノブから軸方向外方へ滑って抜けてしまうような事態を防止できる。すなわち、上記構成によれば、安定した摘み保持感及び良好な指掛かり性の両方を兼ね備えることができ、実釣時のあらゆる釣糸巻き取り状況に確実に対応できる。
【０００９】
なお、上記構成において、「ハンドルアーム側」とは、ハンドルアームに近い操作ノブの側を意味し、一方、「反ハンドルアーム側」とは、ハンドルアームから遠い操作ノブの側、すなわち、ハンドルアーム側とは反対の側を意味する。
【００１０】
また、上記構成において、挟持部は、操作ノブの基部から先端部へ向けて漸次的に外径が大きくなるように延在し、移動規制部は、挟持部の表面に対して非連続的な表面を形成して挟持部の先端側から径方向外側に向けて立ち上がるように延在することが好ましい。これによれば、挟持部の漸次的な先端側への大径化によって挟持部を指で挟持する際の握持保持性（フィット性のある摘み保持感）が向上することは勿論のこと、径方向外側に向けて立ち上がる移動規制部が挟持部から軸方向外方へ移動しようとする指に対して確実に障壁となって指との係止力を高めるため、優れた指掛かり性を実現できる。
【００１１】
また、上記構成において、移動規制部は、挟持部とは別体に形成されて、挟持部に対して着脱自在に配置されることが好ましい。これによれば、移動規制部の交換が容易となり、例えば移動規制部の指の掛かり具合やデザイン等を好みに応じて変更できる。この場合、挟持部も移動規制部に対して着脱自在（交換可能）であることが好ましい。すなわち、操作ノブにおいて、移動規制部及び挟持部を共に交換可能にすれば、操作ノブ全体の握持保持性、指掛かり性、及び、形態（デザイン）を好みに応じて変更でき、有益である。
【００１２】
また、上記構成において、移動規制部の反ハンドルアーム側には、操作ノブの先端部へ向けて縮径するグリップ部が設けられることが好ましい。これによれば、挟持部での指による握持保持に加え、グリップ部の存在によってグリップ部を掌で包み込むように握持保持することもできるため、操作ノブ全体の握持保持性が格段に向上する。なお、この場合、グリップ部も交換可能（着脱自在）であることが更に好ましい。
【００１３】
また、上記構成では、挟持部及び移動規制部の硬度が互いに異なっていてもよい。この場合には、挟持部及び移動規制部のそれぞれの硬度を適宜選択することにより所望のフィット感、触り心地などを実現でき、更には、高い魚信感度などの副次的効果も得ることができるようになる。
【００１４】
また、上記構成において、挟持部の外周面にはその軸方向に沿って延びる複数の軸方向溝が形成され、これらの軸方向溝は、挟持部の周方向に互いに所定の角度間隔を隔てて設けられることが好ましい。このような軸方向溝を挟持部の外周面に設けると、挟持部の接触面積が増大し、したがって、挟持部を挟持する指の腹と軸方向溝により形成される挟持部表面の凸部との摩擦接触により（或いは更には、指の腹が軸方向溝に食い込むことにより）良好なストッパ効果が得られるため、握持保持性はもとより、指掛かり性も向上し、結果として、挟持部に対する指の腹の掛かり具合が強化されることにより、操作ノブを指で摘んだ状態でのハンドルの回転操作性が格別に向上するとともに、指の腹や操作ノブに魚のヌメリや異物等が付着しても回転方向及び軸方向外方への指の滑りを確実に防止できる。
【００１５】
また、本発明は、上記構成の魚釣用リールのハンドルを構成する操作ノブ、具体的には、挟持部の表面と移動規制部の表面とが同一面上にない複合面に特化した操作ノブ及び前述した軸方向溝に特化した操作ノブも提供する。
【発明の効果】
【００１６】
本発明によれば、優れた握持保持性及び操作性を有するだけでなく、軸方向外方に指が滑り抜けない良好な指掛かり性も有する操作ノブ及び該操作ノブを備える魚釣用リールのハンドルが得られる。
【図面の簡単な説明】
【００１７】
【図１】本発明の一実施形態に係る操作ノブ（ハンドル）を有する魚釣用リールとしての両軸受型リールの全体の概略正面図である。
【図２】図１の両軸受型リールのハンドルを構成する操作ノブ単体の側断面図である。
【図３】ハンドルアームの支軸に回転可能に装着される操作ノブを指で摘んだ状態を示す側断面図である。
【図４】（ａ）は操作ノブを構成するグリップ部の側断面図（（ｂ）のＡ−Ａ線に沿う断面図）、（ｂ）は（ａ）のグリップ部の正面図である。
【図５】（ａ）は操作ノブを構成する挟持部の変形例の側断面図、（ｂ）は（ａ）の挟持部の正面図である。
【発明を実施するための形態】
【００１８】
以下、添付図面を参照しながら、本発明の一実施形態について説明する。
図１には、本発明の一実施形態に係るハンドルを備える魚釣用リールとしての両軸受型リールが示される。この両軸受型リールのリール本体１は、左右フレーム２ａ，２ｂと、これら左右フレーム２ａ，２ｂに所定の空間を隔ててそれぞれシール材を介して装着される左右側板３ａ，３ｂとを備える。左右フレーム２ａ，２ｂは複数の支柱を介して一体化されており、下方の支柱に設けられるリール脚によってリール本体１が釣竿の図示しないリールシートに装着される。
【００１９】
左右フレーム２ａ，２ｂ（左右側板３ａ，３ｂ）間には、図示しないスプール軸が左右の軸受を介して回転可能に支持されており、このスプール軸には、釣糸が巻回されるスプール６が取り付けられる。なお、前記スプール軸には、回転操作部材６０が回転操作されることにより所定の押圧力が制動力として付与されるようになっている。
【００２０】
スプール６は、ハンドル４０を回転操作することによって回転されるように構成されており、ハンドル４０は、右側板３ｂから突出したハンドル軸７の端部に着脱自在に取り付けられる。
【００２１】
ハンドル軸７は、右フレーム２ｂと右側板３ｂとの間に、図示しない軸受を介して回転自在に支持されるとともに、右側板３ｂとの間に介在される図示しない一方向クラッチによって釣糸巻き取り方向にのみ回転可能に構成されている。
【００２２】
右フレーム２ｂと右側板３ｂとの間には、ハンドル軸７に回転自在に支持されてハンドル４０の回転運動をスプール６側に伝達するためのドライブギアを含む公知の駆動機構（図示せず）が設けられている。
【００２３】
また、上記構成の両軸受型リールは、ハンドル４０の回転操作に伴う回転動力をスプール６側に伝えるクラッチＯＮ状態（釣糸巻き取り状態）と、ハンドル４０側からの回転動力の伝達を遮断してスプール６をフリー回転可能にするクラッチＯＦＦ状態（釣糸繰り出し状態）とを切り換える公知のクラッチ機構も備える。このクラッチ機構では、クラッチ操作部材２４が一方向に移動操作されるとクラッチＯＦＦ状態となり、一方、ハンドル４０が回転操作される又はクラッチ操作部材２４が他方向に移動操作されると、クラッチＯＦＦ状態からクラッチＯＮ状態にクラッチ機構が復帰されるようになっている。
【００２４】
一方、ハンドル軸７に着脱自在に取り付けられるハンドル４０は、図１〜図３に示されるように、ハンドル軸７を介して前述したリール本体１の駆動機構に連結されるハンドルアーム１０と、ハンドルアーム１０の両側の先端部に取り付け固定される支軸２０と、各支軸２０に回転自在に抜け止め装着される操作ノブ１２とによって構成される。
【００２５】
操作ノブ１２は、好ましくはアルミ等の金属、カーボン等の振動伝達性の良好な（魚信感度を高める）材料（例えば樹脂材料）によって形成され、ハンドルアーム１０に近接して位置される基部１２ａと、この基部１２ａと反対側（反ハンドルアーム側）の先端部１２ｂとを有する（図２及び図３参照）。そして、操作ノブ１２の少なくとも主要部は、ハンドルアーム側の基部１２ａから反ハンドルアーム側の先端部１２ｂへ向けて漸次的に外径が大きくなっている。
【００２６】
また、操作ノブ１２は、指Ｆによる挟持（図３参照）が可能な略円筒状の挟持部１３と、挟持部１３を挟持する指Ｆに係止して操作ノブ１２の軸方向外方（図３に矢印で示される方向）へ向かう指Ｆの移動を規制するキャップ状の移動規制部１４と、移動規制部１４の反ハンドルアーム側に設けられて操作ノブ１２の先端部１２ｂへ向けて縮径するキャップ状のグリップ部１５とによって構成され、これらの構成部品１３，１４，１５は、一体に形成されてもよいが、本実施形態ではそれぞれ別体に形成される。この場合、挟持部１３は、指Ｆにより挟持される挟持面１３ａをその外表面に形成する本体部１３ｆと、本体部１３ｆから移動規制部１４の中心孔を貫通するように先端側へと延びて移動規制部１４の内側に突出する延出部１３ｄとによって構成される。すなわち、このような構成形態から分かるように、本実施形態の操作ノブ１２は、その基部１２ａから連続する挟持部１３の本体部１３ｆ（操作ノブ１２の根元側部分も含めた部位）を指で摘まんで操作するものとして形成されており、専ら先端側を摘まんで操作する操作ノブとは区別される。また、本実施形態において、グリップ部１５の外表面には、図４に明確に示されるように、それぞれが時計周り方向（反時計周り方向でもよい）で斜めに延びる滑り止め用の複数の貫通穴１５ａが放射状に形成されている。
【００２７】
なお、本実施形態では、挟持部１３、移動規制部１４、及び、グリップ部１５がそれぞれ別体を成すため、これらの部品１３，１４，１５の硬度を互いに異なるように設定することもできる。例えば、挟持部１３を軟質材料によって形成するとともに、移動規制部１４を硬質材料から形成してもよい。このように挟持部１３及び移動規制部１４のそれぞれの硬度を適宜選択することにより、所望のフィット感、触り心地などを実現でき、更には、高い魚信感度などの副次的効果も得ることができるようになる。
【００２８】
支軸２０に対する操作ノブ１２の装着は、挟持部１３の本体部１３ｆによって支軸２０をその略全長にわたって取り囲むように軸受５２，５４を介して略同軸的に成される。具体的には、挟持部１３の内孔１３ｃに支軸２０が挿通された状態で、操作ノブ１２の基部１２ａ（挟持部１３の基端側）が軸受５２を介して支軸２０に回転自在に支持されるとともに、挟持部１３の本体部１３ｆと延出部１３ｄとの境界付近の部位が軸受５４を介して支軸２０に回転自在に支持される。そして、挟持部１３の先端側（延出部１３ｄ側）から内孔１３ｃへ向けてビス５０を挿入して、ビス５０の頭部と内孔１３ｃの周面の段差との間で軸受５４を挟持するようにビス５０を支軸２０の雌ネジにねじ込むことにより、操作ノブ１２が支軸２０に対して抜け止め支持される。
【００２９】
ここで、本実施形態の操作ノブ１２は、挟持部１３の表面（挟持面）１３ａと移動規制部１４の表面１４ａとが同一面上にない複合面４５を形成するようになっている。具体的には、挟持部１３が操作ノブ１２の基部１２ａから先端部１２ｂへ向けて漸次的に外径が大きくなるように延在するとともに、移動規制部１４が挟持部１３の表面１３ａに対して非連続的な表面１４ａを形成して挟持部１３の本体部１３ｆの先端から径方向外側に向けて立ち上がるように延在することにより、操作ノブ１２の外表面に複合面４５が形成されている。
【００３０】
この場合、移動規制部１４は、基部１２ａから先端部１２ｂへ向けて漸次的に外径が大きくなる挟持部１３の表面１３ａの先端を断ち切るように径方向外側に向けて略垂直に立ち上がる障壁部１４ｃを形成しており、また、この障壁部１４ｃは、挟持部１３を挟持する指Ｆに係止して操作ノブ１２の軸方向外方（図３に矢印で示される方向）へ向かう指Ｆの移動を規制する係止部１４ｂを形成して、挟持部１３の本体部１３ｆの先端面に形成される段差溝１３ｂと当接状態で係脱可能に係合されるようになっている。なお、移動規制部１４は、操作ノブ１２の最大外径部１４ｄを形成するとともに、操作ノブ１２に対する指の滑りを防止する溝状又は段差状の滑り止め部１９（図３参照）をその外表面に環状に有する。
【００３１】
また、本実施形態において、移動規制部１４は、前述したように障壁部１４ｃが挟持部１３の段差溝１３ｂと係脱可能に係合されることにより挟持部１３に対して着脱自在に配置されるが、挟持部１３に対してグリップ部１５が螺着される（着脱自在に取り付けられる）ことによってグリップ部１５と挟持部１３の本体部１３ｆとの間で挟持された状態で保持されるようになっている。具体的には、挟持部１３の延出部１３ｄの先端側を受けるグリップ部１５の内孔１５ｂの部位には雌ネジ１５ｃが形成され、この雌ネジ１５ｃを挟持部１３の延出部１３ｄの外面に形成される雄ネジ１３ｅと螺合させることによりグリップ部１５が挟持部１３に対して取り付けられる。そして、グリップ部１５を挟持部１３の延出部１３ｄに対して完全に螺合させると、移動規制部１４と対向するグリップ部１５の端面に形成された係合段部１５ｄが移動規制部１４の基端面１４ｅに突き当たって係合するとともに、移動規制部１４の前述した障壁部１４ｃが挟持部１３の段差溝１３ｂに押し付けられる。なお、この組み付け状態では、グリップ部１５の内孔１５ｂに対して外側からキャップ３２が取り付けられ、操作ノブ１２の内側が外部に対して閉塞される。
【００３２】
以上説明したように、本実施形態によれば、ハンドルアーム側の基部１２ａから反ハンドルアーム側の先端部１２ｂへ向けて漸次的に外径が大きくなる操作ノブ１２の形態により、指Ｆが操作ノブ１２に対してフィットし易く（図３参照）、したがって、優れた握持保持性（フィット性のある摘み保持感）及び操作性が得られるとともに、挟持部１３を挟持する指Ｆに係止して操作ノブ１２の軸方向外方へ向かう指Ｆの移動を規制する移動規制部１４の存在により、軸方向外方に指Ｆが滑り抜けない良好な指掛かり感も得られる。具体的には、挟持部１３を指Ｆ（例えば、人差し指、中指、及び、親指の３本の指）で摘んで挟持した状態で、実釣時に魚が仕掛けに掛かった際に操作ノブ１２に不規則な力が作用しても、特に、操作ノブ１２を指Ｆで軽く握って操作している最中に急に魚が掛かって釣糸巻き取り操作へと移行しても（強負荷巻き取り時であっても）、挟持部１３に対して非連続的に位置する移動規制部１４の存在により、すなわち、挟持部１３の表面１３ａと協働して同一面上にない複合面４５を形成する移動規制部１４の表面１４ａの存在により、操作ノブ１２を挟持する指Ｆが操作ノブ１２から軸方向外方へ滑って抜けてしまうような事態を防止できる。すなわち、本実施形態の操作ノブ１２によれば、安定した摘み保持感及び良好な指掛かり性の両方を兼ね備えることができ、実釣時のあらゆる釣糸巻き取り状況に確実に対応できる。
【００３３】
また、本実施形態において、挟持部１３は、操作ノブ１２の基部１２ａから先端部１２ｂへ向けて漸次的に外径が大きくなるように延在し、移動規制部１４は、挟持部１３の表面１３ａに対して非連続的な表面１４ａを形成して挟持部１３の先端側から径方向外側に向けて立ち上がるように延在しているため、挟持部１３の漸次的な先端側への大径化によって挟持部１３を指Ｆで挟持する際の握持保持性（フィット性のある摘み保持感）が向上することは勿論のこと、径方向外側に向けて立ち上がる移動規制部１４が挟持部１３から軸方向外方へ移動しようとする指Ｆに対して確実に障壁となって指Ｆとの係止力を高めるため、優れた指掛かり性を実現できる。
【００３４】
また、本実施形態において、移動規制部１４は、挟持部１３とは別体に形成されて、挟持部１３に対して着脱自在に配置されるため、移動規制部１４の交換が容易となり、例えば移動規制部１４の指の掛かり具合やデザイン等を好みに応じて変更できる。
【００３５】
また、本実施形態において、移動規制部１４の反ハンドルアーム側には、操作ノブ１２の先端部１２ｂへ向けて縮径するグリップ部１５が設けられるため、挟持部１３での指Ｆによる握持保持に加え、グリップ部１５を掌で包み込むように握持保持することもできる。したがって、操作ノブ１２全体の握持保持性が格段に向上する。
【００３６】
図５には、操作ノブ１２を構成する挟持部の変形例が示される。この変形例に係る挟持部１３Ａの外周面にはその軸方向に沿って延びる複数の軸方向溝２９が全周にわたって形成される（周方向の一部のみにわたって形成されてもよい）。これらの軸方向溝２９は、操作ノブ１２の基部１２ａから先端部１２ｂへ向かって延びており、挟持部１３Ａ（操作ノブ１２）の周方向に互いに所定の角度間隔を隔てて設けられる。本実施形態では、軸方向溝２９が一定の角度間隔で設けられているが、角度間隔は一定でなくてもよい。
【００３７】
このような軸方向溝２９を挟持部１３Ａの外周面に設けると、挟持部１３Ａの接触面積が増大し、したがって、挟持部１３Ａを挟持する指の腹と軸方向溝２９により形成される挟持部表面の凸部２７との摩擦接触により（或いは更には、指の腹が軸方向溝２９（凸部２７間）に食い込むことにより）良好なストッパ効果が得られるため、握持保持性はもとより、指掛かり性も向上し、結果として、挟持部１３Ａに対する指の腹の掛かり具合が強化されることにより、操作ノブ１２を指で摘んだ状態でのハンドル４０の回転操作性が格別に向上するとともに、指の腹や操作ノブ１２に魚のヌメリや異物等が付着しても回転方向及び軸方向外方への指の滑りを確実に防止できる。
【００３８】
なお、本発明は、前述した実施形態に限定されず、その要旨を逸脱しない範囲で種々変形して実施できる。例えば、前述した実施形態では、基部１２ａから先端部１２ｂへ向けて漸次的に外径が大きくなる挟持部１３の表面１３ａの先端を径方向外側に向けて略垂直に立ち上がる障壁部１４ｃが断ち切ることによって複合面４５が形成されているが、挟持部１３の表面１３ａと移動規制部１４の表面１４ａとが同一面上にない複合面の形成形態はこれに限定されず、任意の形態をとることができる。例えば、前述の実施形態の径方向外側に向けて略垂直に立ち上がる障壁部１４ｃに代えて、垂直に立ち上がる平面をその一部に有して挟持部１３の本体部１３ｆの先端側から挟持部１３の表面１３ａと同一の面上にないように（挟持部１３の表面１３ａと非連続な面として）斜め上方へ延びるテーパ面を形成することにより複合面を構成して指の腹の掛かりが確実になるようにしてもよい。要は、軸方向外方に指が滑り抜けない良好な指掛かり性を複合面によって得られればよい。
【符号の説明】
【００３９】
１  リール本体
１０  ハンドルアーム
１２  操作ノブ
１２ａ  基部
１２ｂ  先端部
１３  挟持部
１３ａ  表面
１４  移動規制部
１４ａ  表面
１５  グリップ部
２０  支軸
４０  ハンドル
４５  複合面
Ｆ  指
【図１】
2020000133.tif 000003
【図２】
2020000133.tif 000004
【図３】
2020000133.tif 000005
【図４】
2020000133.tif 000006
【図５】
2020000133.tif 000007